(57)【要約】【課題】本発明は袋物を濡らすことがなく、不使用時に邪魔、危険とならずにどのような種類の傘や杖等であっても確実且容易に保持を可能とすることを目的とする。又、不使用時にも目障りでなく、袋物の意匠を損なうことがなく傘等の保持を可能とすることを目的とする。更に、袋物に収納した各種機器へ悪影響を及ばすことなく確実に傘等を保持可能とすることを目的とする。又、どのような袋物を使用している場合でも傘等を保持可能とすることを目的とする。【解決手段】傘等を保持する環状の保持部に保持部を袋物等に結合するための結合手段と保持部を袋物等に固定する固定手段を設けた傘等のホルダー。更に、保持部に保持部を結束するための結束手段を設けた傘等のホルダー。【選択図】    図１
2004350742.tif 000002
【特許請求の範囲】
【請求項１】
環状の保持部に結合手段と固定手段を設けたことを特徴とする傘等のホルダー。
【請求項２】
保持部を結束するための結束手段を設けたことを特徴とする請求項１記載の傘等のホルダー。
【請求項３】
固定手段は保持部を結束することを特徴とする請求項１記載の傘等のホルダー。
【請求項４】
結合手段と結合する被結合手段と固定手段と結合する被固定手段と袋物への装着手段を備えた基部を備えることを特徴とする請求項１乃至請求項３記載の傘等のホルダー。
【請求項５】
開閉自在の開口部を有する収納部と袋物との装着手段を備えた基部と、環状の保持部を備え、保持部を結合手段にて収納部内に結合して構成したことを特徴とする傘等のホルダー。
【請求項６】
保持部は接合手段を備え、環を開閉自在であることを特徴とする請求項１乃至請求項５記載の傘等のホルダー。
【請求項７】
袋物に収納室を設けると共に、袋物の外面に収納室を開閉自在な開口部を設け、環状の保持部を結合手段にて収納室内に結合したことを特徴とする傘等のホルダーを備えた袋物。
【発明の詳細な説明】
【０００１】
【発明の属する技術分野】本発明は袋物に装着して、傘等を保持する為の傘等のホルダー及び傘等のホルダーを備えた袋物に関する。
【０００２】
【従来の技術】従来から傘や杖等を携行して電車内等で着席する時には、傘や杖等は不安定で滑りやすいため立掛けておくと電車のゆれにより倒れてしまうので、傘或いは杖等を常に手で保持しているが、この傘或いは杖等の保持は以外に苦痛であり、本を読みたいときなど両手が使えないと不便であったり、又、寝てしまったときには手の力が緩んで傘等を倒し周囲に迷惑をかけることがしばしばあった。これらの問題点を解消するためにベルトの一端を鞄底部に固定し鞄とベルトの間に傘を挟み込んで、着脱自在のベルトの他端を留め具を用いて鞄に固定して傘を保持する機構が提案されている（例えば、特許文献１参照。）。しかし、この技術では傘がバックに押し付けられバックが濡れてしまうという問題点や、不使用時にはベルト或いはマジックテープ（登録商標）即ち面ファスナー等が邪魔であり、或いは目障りでバックの意匠を損なうといった問題点もあった。
【０００３】
又、一端をバックに固定されたベルト状の留め側と留め側の他端と結合する受け側からなる留め具により傘の柄の紐リングを挟んで傘を保持する機構も提案されている（例えば、特許文献２参照。）。しかし、この技術では柄に紐リングを有さない傘や杖には使用できず、又、不使用時にはベルト或いはマジックテープ（登録商標）等が邪魔であり、或いは目障りでバックの意匠を損なうといった問題点もあった。
【０００４】
更に、バックの内側にマグネットを設置し、バックの外側には二つの孔を設けた鉄のプレートをマグネットに吸着させて設置し、該孔に紐を通して紐留めで紐の長さを調節して該紐に傘を保持させる構成の傘ホルダーも提案されている（例えば、特許文献３参照。）。しかし、この技術では不使用時に紐が遊んでしまい、邪魔であり或いは何かに引っかかるなどして危険であり、又、目障りでバックの意匠を損なうといった問題点もあった。又、厚手の素材のバックではマグネットの吸着力が弱まり、傘を紐に通して保持させた場合にプレートごとバックから外れてしまう恐れがあり、これを防止するために磁力の大きいマグネットを使用した場合にはバックが重くなったり、バックに収納した時計、携帯電話、ノートパソコンン等の電気機器或いは電子機器を破損する恐れもある。
【０００５】
【特許文献１】特開２０００−２２９０１０
【特許文献２】特開２００２−２８２０３６
【特許文献３】特開２００３−１２５８３２
【０００６】
【発明が解決しようとする課題】そこで、本発明は袋物を濡らすことがなく、不使用時に邪魔、危険とならずにどのような種類の傘や杖等であっても確実且容易に保持を可能とすることを目的とする。又、不使用時にも目障りでなく、袋物の意匠を損なうことがなく傘等の保持を可能とすることを目的とする。更に、袋物に収納した各種機器へ悪影響を及ばすことなく確実に傘等を保持可能とすることを目的とする。又、どのような袋物を使用している場合でも傘等を保持可能とすることを目的とする。
【０００７】
【課題を解決するための手段】上記課題を解決するための第一の手段は、環状の保持部に結合手段と固定手段を設けたことを特徴とする傘等のホルダーである。これにより袋物を濡らすことがなく、不使用時に邪魔、危険とならずにどのような種類の傘や杖等であっても確実に保持が可能となる。更に、袋物に収納した各種機器へ悪影響を及ばすことなく又、どのような袋物を使用している場合でも傘等を保持可能となる。
【０００８】
又、第二の手段は、第一の手段において、保持部を結束するための結束手段を設けたことを特徴とする傘等のホルダーである。
【０００９】
第三の手段は、第一の手段において、固定手段は保持部を結束することを特徴とする傘等のホルダーである。第二又は第三の手段により不使用時にはコンパクトにできて、より邪魔、危険を防止可能となる。又、不使用時にも目障りでなく、袋物の意匠を損なうことがない。
【００１０】
第四の手段は、第一乃至第三の手段において、結合手段と結合する被結合手段と固定手段と結合する被固定手段と袋物への装着手段を備えた基部を備えることを特徴とする傘等のホルダーである。これによりどのような袋物を使用している場合でも傘等を保持可能となる。
【００１１】
第五の手段は、開閉自在の開口部を有する収納部と袋物との装着手段を備えた基部と、環状の保持部を備え、保持部を結合手段にて収納部内に結合して構成したことを特徴とする傘等のホルダーである。これによれば、不使用時にも目障りでなく、袋物の意匠を損なうことがなく、又、不使用時に邪魔、危険とならない。
【００１２】
第六の手段は、第一乃至第五の手段において、保持部は接合手段を備え、環を開閉自在であることを特徴とする傘等のホルダーである。これによれば、傘等を容易に保持させることが可能となる。
【００１３】
第七の手段は、袋物に収納室を設けると共に、袋物の外面に収納室を開閉自在な開口部を設け、環状の保持部を結合手段にて収納室内に結合したことを特徴とする傘等のホルダーを備えた袋物である。これにより、不使用時に邪魔、危険とならず、又、不使用時にも目障りでなく、袋物の意匠を損なうことがない。
【００１４】
【発明の実施の形態】以下本発明を図に従って詳細に説明する。傘等のホルダー１（以下傘ホルダー１という）は傘や杖を保持する為の環状の保持部２、保持部２を袋物に結合するための結合手段３１及び固定手段３２から構成されている。ここで袋物とは鞄類、スーツケース、各種バック、リュックサック、巾着、籠等をいい、傘等とは傘の他杖等の一定の長さの棒状部を有するものをいう。以下傘等として傘を例に説明する。
【００１５】
保持部２は３ｃｍ程度の幅の皮革を用い円形時に傘を挿入可能な適宜径に形成している。勿論、保持部２の素材は変形自在且、容易に水に溶けないものであれば特に限定されず、皮革の他に布、紙、チェーン、ビーズ連、合成樹脂、合成繊維、金属製バンド状物或いは傘ホルダー１を装着する袋物と同一の素材等を用いることが可能で、ひも状であれば端部同士を縫製、接着、結紐等により結合し、合成樹脂等を用いる場合には一体成形する等して環状に形成する。又、保持部２の幅も特に限定されず、線状でもよく、用いる素材等により適宜に細くしたり、太くして形成することが可能である。又、保持部２の内面に極薄のアクリル板その他の防水性を備える樹脂板、樹脂テープ等を重着してもよい。
【００１６】
結合手段３１は保持部２を袋物１１又は後述する基部４に結合するための手段であり、具体的には保持部２に設けた孔２９に一端の輪３１１を挿通して設置したチェーンにより構成されている。勿論結合手段３１はチェーンに限定されず、各種留め金、クリップ、キーホルダー、各種紐等を用いてもよく、図２に示すように結合手段３１の一端に備えた輪３１２に保持部２を挿通させ、或いは素材に対応して保持部２に縫製、接着等により設置することとしてもよい。結合手段３１は袋物１１或いは基部４に設けたリング等の被結合手段３９と係合する。結合手段３１は袋物１１と濡れた傘１２が接触するのを防止するために保持部２を袋物１１から適宜距離に離間可能な適宜の長さを有すること、結合手段３１と被結合手段３９は着脱自在とすることが望ましい。尚、被結合手段３９は傘ホルダー１との結合のために設けたものではなく、袋物に装備されているリング、孔を有するファスナーのスライダー、環状の紐等を用いてもよい。
【００１７】
固定手段３２は傘ホルダー１の不使用時に傘ホルダー１が邪魔にならないように保持部２を袋物１１又は基部４に固定するための手段であり、袋物１１或いは基部４に設置した対応する被固定手段３８と結合する。固定手段３２は環状の保持部２を平板状に畳んだ際に結合手段３１を設けた一端とは反対側の他端部であって、袋物１１或いは基部４に接触する保持部２の内片２１にスナップボタンの凹部を開口させて設置して構成している。この場合被固定手段３８としては袋物１１或いは基部４の対応する位置にスナップボタンの凸状部材を設置する。その他、固定手段３２は対応する被固定手段３８と結合可能であれば、被固定手段３８を先端部が球状の突起とした場合には単に保持部材２の内片２１に設けた切れ込み、被固定手段３８と結合可能なホック類、フック類、ボタン、面ファスナーとしてもよく、設置場所も結合手段３１を設けた一端とは反対側の他端部に限定されない。
【００１８】
傘ホルダー１の袋物１１への取り付け位置は特に限定されないが、袋物１１の底面、前面の下部或いは側面の下部へ取り付けることが望ましい。そのため被結合手段３９更には被固定手段３８を袋物１１の所望の位置に設ければよい。袋物１１に被結合手段３９や被固定手段３８を夫々対応して複数設けて適宜傘ホルダー１を装着する位置を変化可能とすることとしてもよい。
【００１９】
保持部２には保持部２を結束するための結束手段５を設けることは推奨される。この結束手段５により保持部２を平板状或いは束状に維持することが可能となるので、傘ホルダー１の不使用時に邪魔でなくなり、何かに引っ掛ける危険がなくなり、袋物の意匠を損なうことがない。結束手段５はスナップボタンの組５１，５２を用い、夫々保持部２の内側面に突起を突出させ、凹部を開口させている。結束手段５はその他ホック類、フック類、ボタン、面ファスナー、チェーン、各種留め金、クリップ、キーホルダー、各種紐等を用いてもよい。
【００２０】
又、保持部２の内片２１に切れ込み或いは孔を設けると共に、対向する外片２２の内側に固定手段３２たるスナップボタンの凹部を開口させて設置し、被固定手段３８たる袋物１１或いは基部４に設けたスナップボタンの突起を内片２１の該切れ込み或いは孔に挿通させると共に外片２２の内面に開口するスナップボタンの凹部に嵌合させることにより、固定手段３２により保持部２を結束することとしてもよい。
【００２１】
又、保持部２は環状に固定されるのではなく、接合手段７１を設けて環を開閉自在とすることが望ましい。これにより傘１２を保持部２に保持させる際に、傘１２を持ち上げて保持部２の上から挿入する必要がなくなり便利である。又、折り畳み傘によく見られる傘に固着された環状の紐と係合可能となり、丈の短い傘等にも適用可能となる。具体的には環状の保持部２を切断し両切断箇所に接合手段７１たるスナップボタンの組を対応して設置し、スナップボタンの嵌め、外しにより保持部２を開閉する。接合手段７１はスナップボタンの組に限定されずその他ホック類、フック類、ボタン、面ファスナー、各種留め金、クリップ、バックル等を用いてもよい。
【００２２】
傘ホルダー１は保持部２を直接袋物１１と結合させる構成としてもよいが、基部４を介して結合させることとしてもよい。基部４は皮革、合成樹脂或いは袋物と同一素材等の平板状体であり、表面４１に保持部２に設けた結合手段３１と結合するリング等の被結合手段３９と固定手段３２と結合するスナップボタン等の被固定手段３８を設けると共に、裏面４２に袋物１１との装着手段４１１を備えている。装着手段４１１は両面テープ、接着剤、ファスナー、ホック類、フック類、ボタン、面ファスナー、チェーン、各種留め金、クリップ、キーホルダー、各種紐等袋物１１に設置したスナップボタンに対応するスナップボタン、袋物１１に設けた孔に挿通して袋物の内部でキャッチでとめるピン等を用いることが可能である。装着手段４１１は基部４が袋物１１と着脱自在となるものを用いることが望ましい。
【００２３】
又、図５に示すように基部４は袋状に形成して保持部２を収納可能な収納部４５及び保持部２の出し入れが可能な開口部４４を設け、ファスナー等の開閉手段４４１を用いて該開口部４４を開閉自在に構成してもよい。保持部２には結合手段３１のみを設け、該結合手段３１は収納部４５内に設置した被結合手段３９と結合させる。尚、固定手段３２、結束手段５及び被固定手段３８は設けなくてもよい。このような構成とすることで、傘ホルダー１の不使用時には保持部２を収納部４５に格納して開口部４４を閉じることが可能で、邪魔にならず且袋物の意匠を損なうことがない。収納部４５の内面は防水性の素材でシールすることが望ましい。
【００２４】
更に、図６に示すように袋物１１の内部に保持部２を収納可能な収納室１１１を設けると共に、袋物１１の外面に保持部２の出し入れが可能であり、収納室１１を開閉自在な開口部１１２を設け、環状の保持部２を結合手段３１にて収納室１１１内に設置した被結合手段３９と結合した傘ホルダーを備えた袋物の構成としてもよい。開口部１１２はファスナー等の開閉手段４４１を用いて開閉自在としている。収納室１１１は袋物１１の内部に限らず外部にポケット状に形成してもよく、形成位置は特に限定されないが、袋物１１の底面部、前面の下部或いは側面の下部へ形成することが望ましい。固定手段３２、結束手段５及び被固定手段３８は設けなくてもよい。又、収納室１１１は防水性の素材で成形することが望ましい。
【００２５】
【発明の効果】以上のような請求項１記載の発明によれば、袋物を濡らすことがなく、不使用時に邪魔、危険とならずにどのような種類の傘や杖等であっても確実に保持が可能となった。更に、袋物に収納した各種機器へ悪影響を及ばすことなく又、どのような袋物を使用している場合でも傘等を保持可能となった。
【００２６】
又、請求項１又は２に記載の発明によれば、不使用時にはコンパクトにできて、より邪魔、危険を防止可能となった。又、不使用時にも目障りでなく、袋物の意匠を損なうことを防止可能となった。
【００２７】
又、請求項４に記載の発明によれば、どのような袋物を使用している場合でも傘等を保持可能となった。又、請求項５に記載の発明によれば、不使用時にも目障りでなく、袋物の意匠を損なうことがなく、又、不使用時に邪魔、危険とならなくなった。
【００２８】
又、請求項６記載の発明によれば、傘等を容易に保持させることが可能となった。又、請求項７記載の発明によれば、どのような種類の傘や杖等であっても確実に保持が可能であると共に、不使用時に邪魔、危険とならず、又、不使用時にも目障りでなく、袋物の意匠を損なうことがなくなった。
【図面の簡単な説明】
【図１】本発明一実施例斜視図
【図２】本発明他実施例斜視図
【図３】本発明の袋物装着時不使用状態図
【図４】本発明使用状態図
【図５】本発明他実施例斜視図
【図６】本発明他実施例斜視図
【符号の説明】
１      傘等のホルダー
１１    袋物
１１１  収納室
１２    傘
２      保持部
３１    結合手段
３２    固定手段
３８    被固定手段
３９    被結合手段
４      基部
４５    収納部
４１１  装着手段
５      結束手段
７１    接合手段
【図１】
2004350742.tif 000003
【図２】
2004350742.tif 000004
【図３】
2004350742.tif 000005
【図４】
2004350742.tif 000006
【図５】
2004350742.tif 000007
【図６】
2004350742.tif 000008